(57)【要約】【課題】  表示画面における演出効果を増大して遊技の興趣を大きく盛り上げることのできる遊技装置を提供する。【解決手段】  遊技装置は、表示画面１の前方に立設された透明で盤状の中空容器２と、中空容器２の内部に収納されて垂直面内を旋回する回転部材３とからなる。中空容器２内には透明液体Ｌと空気Ａとが封入されており、回転部材３にはこの回転部材３の旋回方向に向けて開口する凹部８が設けてある。以上のように構成したものは、回転部材３が旋回して凹部８が液面に対して下向きに突入した時に空気Ａを取り込むことができ、凹部８開口が横向き乃至やや上向きとなった時には取り込んだ空気Ａを泡Ｂとして放出する。【選択図】    図３
2006034609.tif 000002
【特許請求の範囲】
【請求項１】
表示画面の前方に立設される透明で盤状の中空容器と、中空容器の内部に収納されて垂直面内を旋回する回転部材とを備えた遊技装置であって、前記中空容器内には、比重の大きい透明液体と比重の小さい透明液体と空気の内の少なくとも２種類の物質を封入し、前記回転部材には、この回転部材の旋回方向に向けて開口する凹部を設けたことを特徴とする遊技装置。
【請求項２】
中空容器の内面に無端のレールを設けて、このレールに回転部材を摺動自在に支持させた請求項１に記載の遊技装置。
【請求項３】
表示画面の前方に立設される透明で盤状の中空容器と、中空容器の内部に収納されて垂直面内を旋回する回転部材とを備えた遊技装置であって、前記中空容器内には、比重の大きい透明液体と比重の小さい透明液体と空気の内の少なくとも２種類の物質を封入し、前記回転部材の外周縁には、上記何れかの透明液体を取り込み放出するための複数の凹部を設けたうえに、この回転部材の近傍には、凹部から放出された透明液体を捕集するためのカバー体を配設し、このカバー体には、捕集された透明液体を噴出するための連通孔を設けたことを特徴とする遊技装置。
【請求項４】
表示画面の前方に立設される透明で盤状の中空容器と、中空容器の内部に収納されて垂直面内を旋回する回転部材とを備えた遊技装置であって、前記中空容器内には、比重の大きい透明液体と比重の小さい透明液体と空気の内の少なくとも２種類の物質を封入し、前記回転部材の外周縁には複数の凹部を設けたうえに、この回転部材の上側には、上部に連通孔を有し当該回転部材の上方を覆うカバー体を配設して、回転部材を回転させることにより凹部に取り込んだ上記何れかの透明液体を前記連通孔から上方に噴出するようにしたことを特徴とする遊技装置。
【発明の詳細な説明】
【技術分野】
【０００１】
本発明は、遊技機に用いられる役物などの表示画面を有する遊技装置に関する。
【背景技術】
【０００２】
遊技機であるパチンコ機においては、図８に示すように外周をレール５６や段差によって囲まれた遊技盤５１が装着されており、この遊技盤５１には特定入賞口５２、一般入賞口５３とともに、遊技の主要な部分を司るセンター役物５４が配設されている。センター役物５４は通常表示画面５５を備えていて３列の図柄がスクロール表示あるいは液晶表示されて、図柄がそろった時にいわゆる大当たりを発生させる。しかしながら、表示画面５５には図柄が平面的にしか表示されないので、遊技の演出効果に限界があって遊技中に遊技者に与える興趣を低下させてしまう。
【０００３】
このような興趣の低下を防止するものとして、特許文献１には、表示装置の前面に、識別情報を透視可能な液体を注入した液体注入容器を配置するとともに、前記液体注入容器の内部に接続された泡発生装置により、液体注入容器内の液体に泡を発生させるようにした遊技機が開示されている。しかしながら、この遊技機においては、泡の発生位置が固定されていて泡の大きさ、個数も変化することがない静的なものである。また、泡を発生させるための装置を必要としコストアップを招くという問題がある。
【特許文献１】特開２００４−８６６０号公報  (図２)
【発明の開示】
【発明が解決しようとする課題】
【０００４】
本発明は上記した従来の問題点を解決して、遊技の興趣を大きく盛り上げることのできる遊技装置を提供するためになされたものである。
【課題を解決するための手段】
【０００５】
上記の課題を解決するためになされた本発明の遊技装置は、表示画面の前方に立設される透明で盤状の中空容器と、中空容器の内部に収納されて垂直面内を旋回する回転部材とからなる遊技装置であって、前記中空容器内には、比重の大きい透明液体と比重の小さい透明液体と空気の内の少なくとも２種類の物質を封入し、前記回転部材はこの回転部材の旋回方向に向けて開口する凹部を設けたことを特徴とするものである。なお、上記した発明において、中空容器の内面に無端のレールを設けて、このレールに回転部材を摺動自在に支持させることができる。
【０００６】
また、本発明の遊技装置は、表示画面の前方に立設される透明で盤状の中空容器と、中空容器の内部に収納されて垂直面内を旋回する回転部材とを備えた遊技装置であって、前記中空容器内には、比重の大きい透明液体と比重の小さい透明液体と空気の内の少なくとも２種類の物質を封入し、前記回転部材の外周縁には、上記何れかの透明液体を取り込み放出するための複数の凹部を設けたうえに、この回転部材の近傍には、凹部から放出された透明液体を捕集するためのカバー体を配設し、このカバー体には、捕集された上記何れかの透明液体を噴出するための連通孔を設けたことを特徴とするものであり、また、表示画面の前方に立設される透明で盤状の中空容器と、中空容器の内部に収納されて垂直面内を旋回する回転部材とを備えた遊技装置であって、前記中空容器内には、比重の大きい透明液体と比重の小さい透明液体と空気の内の少なくとも２種類の物質を封入し、前記回転部材の外周縁には複数の凹部を設けたうえに、この回転部材の上側には、上部に連通孔を有し当該回転部材の上方を覆うカバー体を配設して、回転部材を回転させることにより凹部に取り込んだ上記何れかの透明液体を前記連通孔から上方に噴出するようにしたことを特徴とするものである。
【発明の効果】
【０００７】
本発明の遊技装置は、中空容器の内部に比重の大きい透明液体と比重の小さい透明液体と空気の内の少なくとも２種類の物質を封入するとともに、中空容器の内部に垂直面内を旋回する回転部材を収納し、この回転部材に回転部材の旋回方向に向けて開口する凹部を設けたので、回転部材の旋回によって凹部に空気或いは比重の小さい透明液体を取り込むことができ、その後凹部が横向き乃至やや上向きとなった時には取り込んだ空気や比重の小さい透明液体を泡や粒子として放出することができる。
【０００８】
また、本発明の遊技装置は、中空容器内には、比重の大きい透明液体と比重の小さい透明液体と空気の内の少なくとも２種類の物質を封入し、回転部材の外周縁には、透明液体を取り込み放出するための複数の凹部を設けたうえに、この回転部材の近傍には、凹部から放出された透明液体を捕集するためのカバー体を配設し、このカバー体には連通孔をもうけたので、捕集された透明液体をこの連通孔から噴出させることができる。
さらに、本発明の遊技装置は、中空容器内には比重の大きい透明液体と比重の小さい透明液体と空気の内の少なくとも２種類の物質を封入したうえに、上部に連通孔を有するカバー体を、多数の凹部が形成された回転部材の上側を覆うように配設したので、回転部材を回転させることにより凹部に取り込んだ透明液体を噴水のごとく上方に連通孔から噴出することができる。
【発明を実施するための最良の形態】
【０００９】
以下に図面を参照しつつ本発明の好ましい実施形態を説明する。
図１、２は本発明の第1の実施形態である遊技装置を示す図であって、１は表示画面、２は盤面が透明の中空容器、３は中空容器内に収納された回転部材である。回転部材３はその裏側に鉄片などの磁性体４が取り付けられている。表示画面１と中空容器２の間には無端のベルト５が配設されており、このベルト５は環状などに配置された複数のローラ６に掛け渡されていて、モーターＭによって駆動される。ベルト５には磁石７が取り付けられており、この磁石７が磁性体４を引き付けるので、回転部材３はベルト５の回転方向に旋回することとなる。この回転部材３は旋回方向に向けて開口する凹部８を有している。なお、図示のごとく、回転部材３を環状、楕円状などに設けたレール９に摺動自在に支持させることによって、回転部材３の旋回を滑らかにし且つその向きを常に旋回方向に向けて維持することができる。また、中空容器２の内部には透明液体Ｌと空気Ａとが封じ込められている。
【００１０】
中空容器２の形状は角型のものに限定されず、円盤状などのものを用いることができる。中空容器２の前には図示していない前側カバーが見栄えを良好にして配置されるが、中空容器２を遊技機のガラス面に設置することもできる。回転部材３は、角型のもののほか、コップ状、おわん状など凹部８を有する適宜の形状のものを用いることができる。この回転部材３は、ベルト５に複数個取り付けてもよい。
【００１１】
以上のように構成されたものは、例えば大当たり発生時などにモーターＭを駆動して回転部材３を旋回させることによって、凹部８が下向きとなって透明液体Ｌの液面に突入するので、この凹部８に空気Ａを取り込むことができる。さらに旋回が進んで図３に示すように凹部８開口が横向き乃至やや上向きとなった時には、取り込んでいた空気Ａを浮力により中空容器２下部から上方に泡Ｂとして放出することができる。凹部８は旋回のたびごとに空気Ａの取込みと泡Ｂの放出とを行うので、繰り返し泡Ｂを発生させることができる。回転部材３を口をあけた魚模型とすることによって、魚が移動しつつ泡を発生する。また、別の泡発生機構と組み合わせることによってさらなる装飾効果を付与することができる。
【００１２】
図４には、第２の実施形態の遊技装置を示す。この遊技装置においては中空容器２、回転部材３の構造は上記したものと特に変わるところはないが、中空容器２の内部には、比重の異なる透明液体、即ち比重の大きい第１液体Ｌ１と比重の小さい第２液体Ｌ２が二層を成して充填されている。したがって、凹部８は比重の小さい第２液体Ｌ２の層内においてこの第２液体Ｌ２を取り込む。そして、凹部８が横向き乃至やや上向きとなった時には取り込んだ第２液体Ｌ２を粒子Ｐとして放出するので、粒子Ｐは比重の大きい第１液体Ｌ１中を、ちょうど油が水中を上がるようにゆらゆらと上昇する。第１液体Ｌ１と第２液体Ｌ２との界面は水平線が粒子Ｐの合体により波打ち状に揺らめくこととなる。
【００１３】
また、図５に示す第３の実施形態における遊技装置は、中空容器２内に比重の異なる第１液体Ｌ１と第２液体Ｌ２と空気Ａとを封じ込んだものである。この遊技装置においては、回転部材３は下向きとなって空気Ａと第２液体Ｌ２とを凹部８内に取り込む。そして、水平ないし横向きとなったときに凹部８は順次空気Ａと第２液体Ｌ２とを放出する。したがって、凹部８から空気泡Ｂと第２液体の粒子Ｐとを第１液体Ｌ１中をゆらゆらと上昇させることができる。
【００１４】
なお、凹部８を正転、逆転の両方向に向けて設けるとともに、モーターＭを正逆回転可能なものとすることによって、回転部材３が正転又は逆転の何れ方向の回転でも泡などを発生させることができる。また、回転部材３の回転による透明液体Ｌの流動方向を逆向きに変えることができるので、透明液体Ｌ中に銀色などの浮遊物を浮遊させることによって、その流動方向を視認可能にして変化させることができる。中空容器２の正逆回転を間歇的に行ったりモーターＭの回転速度を増減することによってさらに変化を付けることができる。
【００１５】
また、回転部材３を複数として、図６、７に示すようにリング状部材１１に支持させることもできる。この遊技装置においては、リング状部材１１はモーターＭと接続されたローラー６により回転される。この場合には、連設された回転部材３が次々と透明液体Ｌの液面に突入して空気Ａを取り込む。そして、旋回が進んで回転部材３が横向き乃至やや上向きとなった時に、取り込んでいた空気Ａを泡Ｂとして放出するので、中空容器２の下方から連続的に泡Ｂを発生させることができる。凹部８の大きさ、形状を適宜変えることによって泡の大きさ、個数、放出タイミングに変化を付けることができる。
【００１６】
なお、透明液体Ｌとしてシリコーンオイルなどの不燃性又は難燃性のものを用いることができるし、防かび処理を施したものを用いることができる。また、粘度の高いものを用いることによって泡Ｂをゆっくりゆらゆらと浮上させることができる。さらに、透明液体Ｌとして、表示画面１に表示される絵柄の内容にあわせて水色、黄色などの有色の透明液体を用いることによっても演出効果を大きく盛り上げることができる。
【００１７】
図９〜１１には、上記とは別の実施形態の遊技装置を示す。この遊技装置において、中空容器２の内には比重の異なる２種類の透明液体Ｌ１、Ｌ２が封入されている。また、中空容器２の中には、外周縁に多数の凹部８が形成された二つのギア状の回転部材３、３ａが噛合して配設されている。これらの回転部材３、３ａの上方を覆うように山形のカバー体２１が配設されている。カバー体２１の下部には回転部材３、３ａの上方を覆うために切欠き凹部２２が形成されている。その切欠き凹部２２の上方には三角空隙２３が形成され、この三角空隙２３より上方に連通孔２４が接続して設けられている。
【００１８】
一方の回転部材３には磁性体４が接着されており、モーターＭの回転軸１０には磁石７が接着された回転伝達部材１２が取付けられている。回転部材３と回転伝達部材１２とは透明盤材１３を介して非接触で接近されているので（図１２）、モーターＭが回転することによって磁性体４と磁石７との吸引力により回転部材３は駆動され、これに噛合する回転部材３ａが従動される。回転部材３、３ａは凹部８に第１液体Ｌ１を取り込んでいるが、凹部８に取り込まれた第１液体Ｌ１は三角空隙２３に集められる結果三角空隙２３の液圧が上昇することとなる。この上昇した液圧を減ずるために連通孔２４からは第１液体Ｌ１が噴水のように吐出し第２液体Ｌ２中に吹き上げられることとなる（図９）。
なお、吹き上げられた第１液体Ｌ１の粒子は第２液体Ｌ２より比重が大きいので、徐々に降下して再び第１液体Ｌ１の層に吸収される。第２液体Ｌ２に代えて空気Ａを封入しても同様に第１液体を吹き上げることができる。この場合には、第１液体Ｌ１に代えて第２液体を用いても差し支えはなく、第２液体Ｌ２が空中に噴出される。
【００１９】
以上説明したように、本発明の遊技装置は、回転部材を旋回させることにより凹部に取り込んだ空気や透明液体を泡や粒子として放出することができる。また、本発明の遊技装置は、回転部材を回転させることにより凹部に取り込んだ透明液体を上方に噴水のごとく吹き上げることができる。
したがって、本発明の遊技装置は、泡や粒子や噴水を発生させて遊技の興趣を盛り上げることができるという大きな利点を有する。
【図面の簡単な説明】
【００２０】
【図１】第１の実施形態の遊技装置を示す正面図である。
【図２】図１の遊技装置の側面図である。
【図３】泡発生中である図１の遊技装置の正面図である。
【図４】第２の実施形態の遊技装置を示す正面図である
【図５】第３の実施形態の遊技装置を示す正面図である。
【図６】第４の実施形態の遊技装置を示す正面図である。
【図７】図６の遊技装置の側面図である。
【図８】パチンコ機の正面図である。
【図９】第５の実施形態の遊技装置を示す正面図である。
【図１０】図９の遊技装置の平面図である。
【図１１】図９の遊技装置の分解斜視図である。
【図１２】回転部材と回転伝達部材の斜視図である。
【符号の説明】
【００２１】
１  表示画面
２  中空容器
３、３ａ  回転部材
４  磁性体
５  ベルト
６  ローラー
７  磁石
８  凹部
９  レール
１０  回転軸
１１  リング状部材
１２  回転伝達部材
１３  透明盤材
２１  カバー体
２２  切欠き凹部
２３  三角空隙
２４  連通孔
Ｍ  モーター
Ａ  空気
Ｌ  透明液体
Ｌ１  第１液体
Ｌ２  第２液体
Ｐ  粒子
【図１】
2006034609.tif 000003
【図２】
2006034609.tif 000004
【図３】
2006034609.tif 000005
【図４】
2006034609.tif 000006
【図５】
2006034609.tif 000007
【図６】
2006034609.tif 000008
【図７】
2006034609.tif 000009
【図８】
2006034609.tif 000010
【図９】
2006034609.tif 000011
【図１０】
2006034609.tif 000012
【図１１】
2006034609.tif 000013
【図１２】
2006034609.tif 000014